(57)【要約】【課題】  畳を外に運び出すことなく畳を敷設したままで畳表と畳床との間に堆積した埃なども除去することができ、衛生面を含めて畳をリフレッシュさせることのできる畳の清掃方法を提供する。【解決手段】  部屋に畳を敷いた状態で、畳の上に洗浄剤を散布し、次いで、１〜１５分放置して汚れが浮かび上がった状態になったら、次に、必要であれば、畳の目に沿ってブラッシングする。その後、清水又は温水を畳表に向けて噴射しながら吸引して水分を除去する、すすぎ洗いを行い、これが完了したら、送風機などを用いて畳を乾燥させる。【選択図】      図１
2005040731.tif 000002
【特許請求の範囲】
【請求項１】
部屋に敷設した状態の畳の上に洗浄剤を散布する洗浄剤散布工程と、
畳の上に散布した洗浄剤をそのまま放置する待機工程と、
畳の上に散布した洗浄剤を吸引する洗浄剤吸引工程と、
畳の上に清水又は温水を散布してこれを吸引するすすぎ工程と、
畳を乾燥させる乾燥工程とを有することを特徴とする畳の清掃方法。
【請求項２】
前記待機工程の次に、畳の目に沿ってブラッシングするブラッシング工程を更に有する、請求項１に記載の畳の清掃方法。
【請求項３】
前記洗浄剤散布工程の前に、部屋に敷設した状態の畳の上に清水又は温水を散布する予備工程を更に有する、請求項１又は２に記載の畳の清掃方法。
【発明の詳細な説明】
【技術分野】
【０００１】
この発明は畳に関し、より詳しくは畳の清掃方法に関する。
【背景技術】
【０００２】
畳を敷設した、いわゆる日本間は、昨今の住居では少なくなったとは言え、畳の感触は捨てがたいものがある。畳は、畳表と畳床とから作られているが、現在の畳の材料は種々様々である。
【０００３】
すなわち、畳表は、伝統的には、天然い草から作られ、現在でも、一般家庭では天然い草の畳表が好まれているが、畳表の他の材料として、模造い草、化学畳表、プラスティック畳表、和紙系畳表と呼ばれる人工い草が知られている。
【０００４】
また、畳床は、伝統的には藁から作られていたが、現在では、その殆どの畳が、木片を圧縮成形したインシュレーションボードや、このインシュレーションボードと合成樹脂発泡体（スチレンフォーム）とを積層した、いわゆる建材床や、また、これにプラスチック段ボール、ベニヤ板、不織布を積層した人工床が用いられている。
【発明の開示】
【発明が解決しようとする課題】
【０００５】
畳の定期的な管理は、例えば１年に一回、部屋から畳を外に持ち出して天日干し、畳表を叩いて、畳表と畳床との間に堆積した埃を取り除くことが行われていたが、作業が大がかりになるため、また、畳の材料も変化してきている現在では天日干しする家庭は少なくなっている。
【０００６】
これに対して畳の日常的な管理つまり日々の清掃は、畳の目に沿って掃除機をかけるのが一般的であり、時々、雑巾で乾拭きし、また、きつく絞った雑巾で拭くことも行われているが、畳表と畳床との間に入り込んだ塵などを取り除くことは難しい。
【０００７】
畳表が時間の経過によって変色した場合には、畳職人に依頼して畳表の裏返しや表替えにより新品のようになるが、畳表の裏返しや表替えには多額の費用と時間を要する。例えば、一般住宅に比べて１０倍早く畳が痛むと言われている場所、例えば、旅館や料亭などでは、１年〜３年に一度は畳の畳表の裏返しや表替えを行うのが必要となるが、これに対して高額の費用が必要となる。
【０００８】
本発明の目的は、定期的な管理無しに畳を使用することが多くなっている現状や畳の材料も多様化している現状を鑑みて本発明を案出するに至ったものであり、畳表の裏返しや表替えが必要となる期間を延長することのできる畳の清掃方法を提供することにある。
【０００９】
本発明の更なる目的は、比較的安価に畳をきれいにすることのできる畳の清掃方法を提供することにある。
【００１０】
本発明の更なる目的は、畳を外に運び出すことなく畳を敷設したままで畳をきれいにすることのできる畳の清掃方法を提供することにある。
【００１１】
本発明の更なる目的は、畳を外に運び出すことなく畳を敷設したままで畳表と畳床との間に堆積した埃なども除去することができ、衛生面を含めて畳をリフレッシュさせることのできる畳の清掃方法を提供することにある。
【課題を解決するための手段】
【００１２】
かかる技術的課題は、本発明によれば、
部屋に敷設した状態の畳の上に洗浄剤を散布する洗浄剤散布工程と、
畳の上に散布した洗浄剤をそのまま放置する待機工程と、
畳の上に散布した洗浄剤を吸引する洗浄剤吸引工程と、
畳の上に清水又は温水を散布してこれを吸引するすすぎ工程と、
畳を乾燥させる乾燥工程とを有することを特徴とする畳の清掃方法を提供することにより達成される。
【００１３】
すなわち、畳の定期的な清掃方法として、現在では殆ど行われていないが天日干しにあっては部屋から畳を外すことが行われていたが、本発明によれば、部屋に畳を敷いたままで作業を行うことができるため、手間もかからず、それでいながら畳表の汚れを除去できるだけではく、畳表と畳床との間に堆積している埃やダニの死骸なども除去することができる。
【００１４】
したがって、畳表の裏返しや表替えが必要となる期間を延長することができるため、例えばホテルや旅館などでは畳に要するコストを大幅に低減することが可能になるだけでなく、本発明に従う畳の清掃方法を定期的に実施することで衛生面での保守管理を行うことができる。
【発明を実施するための最良の形態】
【００１５】
図１は、実施例の畳の清掃方法の工程を示す。実施例の畳の清掃方法の第１工程は、部屋に畳を敷き込んだままで畳表の全体（畳が縁帯を有する場合には、縁帯部分を含む）に洗浄剤を付着させる。畳表に洗浄剤を付着させる具体的な方法を例示すれば以下のとおりである。
【００１６】
（１）洗浄剤を手動又は電動スプレーを使って散布する；
（２）ジョロで洗浄剤を撒く。
【００１７】
洗浄剤の散布は、畳表の表面が洗浄剤で覆われる程度まで行うのがよい。畳表に散布した洗浄剤は、急速に中に浸透することなく、通常であれば、畳表の緻密な目によって畳表の表面で水浸しの状態になる。
【００１８】
洗浄剤は、界面活性剤と水とを含む液体洗浄剤、例えば動植物油系又は鉱油系の汚染物質を洗浄することのできる液体洗浄剤であるのがよく、好ましくはｐＨ８以上のアルカリ系洗浄剤であるのが、みそ汁や油汚れを除去するうえで望ましい洗浄効果を得ることができる。入手した洗浄剤を原液のまま使用してもよいが、畳表の汚れ具合に応じて、例えば軽度の汚れであれば適当に水で希釈して使用するのがよい。
【００１９】
第２工程は、洗浄剤によって畳表の汚れが浮かび上がるのを待つ。この待機時間は、第１工程の後、通常であれば、１〜１５分程度である。
【００２０】
第３工程は、好ましくは電動ブラシで畳表の目に詰まっている埃や汚れを掻き出す。図２に示すように、電動ブラシ１は、畳表２と平行に延びる回転駆動軸３から毛４が出ているタイプのものが好ましく、畳表の目に沿って毛４を回転させるようにしてブラッシングするのが好ましい。毛４の硬さは、畳表２の材料によって適当な硬さを選択すればよく、余りにも硬い毛４を使うと、畳表２を傷つける虞があるため好ましくない。
【００２１】
換言すれば、畳表２と平行に配置される円盤の下面に数多くの毛を設けたブラシを使用して、円盤を畳表２と平行な面で回転させるタイプのものは、畳表２を傷つける虞があるため、このようなタイプのブラシを使用するのは避ける方がよい。
【００２２】
第４工程は、畳表２をすすぎ洗いする。このすすぎ洗い工程は、畳表２に向けて噴霧又は噴射した水（好ましくは温水）を吸引しながら行うことのできるバキューム機を使用するのが好ましい。また、このすすぎ洗い工程は、畳表２に蒸気を当てることにより行ってもよい。この第４工程では、水又は温水又は蒸気を畳表２に向けて噴射又は噴霧する機能と共に、連続吸引する機能とを具備するバキューム機を使用するのが、畳表２から洗浄剤と水分とを除去する、この第４工程の作業を一人で出来ることから好ましい。
【００２３】
このすすぎ洗い工程の作業は、例えば絨毯クリーニング機器として市販されている掃除機を使うことができる。市販の絨毯クリーニング機器（掃除機）は、清水用タンクと汚水用タンクとを備え、清水を噴射しながら連続吸引する形式のものや、温水を噴射しながら連続吸引する形式のものや、約８０℃の高温水を高圧で噴射しながら連続吸引する形式のものなどが存在するが、その何れであっても使用可能であるが、高温水を高圧で噴射しながら連続吸引する形式のものは、畳表２のすすぎ洗いに最も好適である。
【００２４】
第４工程の畳表２のすすぎ洗い工程は、これを複数の工程に分けて実施するようにしてもよい。すなわち、畳表２から洗浄剤を吸引してこれを除去し、次いで、畳表２に清水、温水又は高温水を散布し、これと同時に又はその後に、これを吸引除去するようにしてもよい。
【００２５】
また、２人で第４工程を行うのであれば、一人が噴霧器又は噴射器を使って水、温水又は高温水を畳表２に噴霧又は噴射し、これに続いて他の一人が吸引器を使って畳表２の表面の洗浄剤と水分を吸引するようにしてもよい。
【００２６】
第５工程は、畳表２を乾燥させる。この乾燥工程は、家庭用扇風機や業務用の送風機やドライアーなど使って畳表２に風又は温風を当てることにより行うのがよい。また、一般家庭であれば、畳の清掃を行った部屋の空調機を使って、例えばドライ運転を行いつつ扇風機を使って畳表２に風を当てることにより行うようにしてもよい。
【００２７】
上述した畳の清掃方法は、撥水性を備えた人工い草（和紙系畳表を含む）を使った畳に対して好適に適用することができるが、天然い草を使った畳に対しても適用できる。
【００２８】
撥水性に優れた例えば人工い草を使った畳の場合には、例えば窓を開けて天然の風を部屋に導入することで上述した第５工程を省くことができる場合もあろう。
【００２９】
実際に試験してみたところ、天然い草の畳表を使った畳及び人工い草の畳表を使った畳の双方で好ましいクリーニング効果を得ることができた。特に、人工い草の畳表を使った畳にあっては、畳表の色も新品同様となっただけでなく、回収した洗浄剤の汚れ具合から判断して畳表と畳床との間に堆積した埃や汚れを除去できたと考えられる結果を得た。
【００３０】
実施例の畳の清掃方法によれば、定期的に（例えば１〜２年毎に）実施することで、旅館など傷みや汚れが早く進行する畳の畳表の裏返しや表替えの時期を遅らせることができ、旅館などにとって経済的なメリットも大きいだけでなく、畳表と畳床との間に堆積した埃やダニの死骸などを取り除くことができ衛生的である。このことは、天日干しの習慣が無くなった現在、一般家庭でも、本発明に従う畳の清掃方法を定期的に実施することで、見た目を綺麗にできることは勿論であるが、目に見えない畳表と畳床との間に堆積した埃やダニの死骸などを取り除くことができ衛生的である。
【００３１】
以上、本発明の好ましい実施例を説明したが、第１工程の前の準備又は予備工程として、清水又は温水を散布し、次いで、第１工程の洗浄剤の散布を行うようにしてもよい。また、部分的に汚れやシミが存在しているときには、第１工程の前又は第１工程で、汚れやシミが発生している箇所に高濃度の洗浄剤を散布又は塗布するようにしてもよい。また、第２工程の待機工程で畳表２にスチームを当てて洗浄効果を促進させるようにしてもよい。なお、第３工程のブラッシングは、比較的汚れが少ない畳の場合には、これを省くようにしてもよい。
【００３２】
また、畳の両側縁に沿って配置された縁帯は湿り気が残る場合が多いため、第５工程の乾燥工程では、縁帯に対して集中的に温風を当てて、縁帯の乾燥を促進させるように配慮するのが好ましい。また、この乾燥工程の前、途中又は後に、畳表２に撥水性を付与するためのコーティング剤を畳表２に噴霧するようにしてもよい。
【図面の簡単な説明】
【００３３】
【図１】実施例の畳の清掃方法の作業フローを示す図である。
【図２】実施例の畳の清掃方法に含まれるブラッシングに好敵に使用可能なブラッシング機を説明するための図である。
【符号の説明】
【００３４】
１    電動ブラシ
２    畳表
３    ブラシの回転駆動軸
４    ブラシの毛
【図１】
2005040731.tif 000003
【図２】
2005040731.tif 000004